(57)【要約】【課題】下着の下に重ねて着用する際に、下着の外にはみ出し難いパンツ型おむつを提供する。【解決手段】吸収体（１１）と、前記吸収体（１１）よりも肌側に配された肌側不織布（１２）と、前記吸収体（１１）よりも非肌側に配された非肌側フィルム（１４）と、前記非肌側フィルム（１４）よりも非肌側に配された外装不織布（１６）と、を備える吸収性本体（１０）と、前記横方向の両側にそれぞれ配されて、前記吸収性本体（１０）の長手方向の各端部を連結するベルト部（３２）と、有し、前記ベルト部（３２）は、縦方向の下側かつ横方向の外側へ傾斜した二対の接合部にて、前記吸収性本体（１０）と接合されており、縦方向における前記ベルト部（３２）の一方側の端と他方側の端との間の距離の最小値は、５０ｍｍ以上１００ｍｍ以下であり、前記ベルト部、及び、前記吸収性本体の股下部は、前記下着を着用した後に前記下着に隠れる位置に調整される大きさである。【選択図】図４
2018108323.tif 000002
【特許請求の範囲】
【請求項１】
互いに交差する縦方向と横方向とを有し、胴回り開口部と一対の脚回り開口部とが形成され、下着の下に着用されるパンツ型おむつであって、
排泄液を吸収する吸収体と、前記吸収体よりも肌側に配された液透過性の肌側不織布と、前記吸収体よりも非肌側に配された液不透過性の非肌側フィルムと、前記非肌側フィルムよりも非肌側に配された外装不織布と、を備える吸収性本体と、
前記横方向の両側にそれぞれ配されて、前記吸収性本体の長手方向の各端部を連結するベルト部と、
を有し、
前記ベルト部は、前記胴回り開口部から前記脚回り開口部に向かって前記縦方向の下側かつ前記横方向の外側へ傾斜した二対の接合部にて、前記吸収性本体と接合されており、
前記縦方向における前記ベルト部の一方側の端と他方側の端との間の距離の最小値は、５０ｍｍ以上１００ｍｍ以下であり、
前記ベルト部、及び、前記吸収性本体の股下部は、前記下着を着用した後に前記下着に隠れる位置に調整される大きさである、ことを特徴とするパンツ型おむつ。
【請求項２】
請求項１に記載のパンツ型おむつであって、
前記肌側不織布よりも肌側に配された、液不透過性の疎水性シートを有する、ことを特徴とするパンツ型おむつ。
【請求項３】
請求項１または２に記載のパンツ型おむつであって、
前記吸収性本体のうち前記非肌側フィルムの上端よりも上側の領域を５０Ｎの力で前記縦方向の上側に引っ張ったときの伸び量が１．０ｍｍ以下である、ことを特徴とするパンツ型おむつ。
【請求項４】
請求項１〜３のいずれか１項に記載のパンツ型おむつであって、
前記吸収性本体のうち前記非肌側フィルムの上端よりも上側の領域の前記縦方向における長さが２０ｍｍ以上である、ことを特徴とするパンツ型おむつ。
【請求項５】
請求項４に記載のパンツ型おむつであって、
前記ベルト部は、上端部が前記縦方向に折り返された端部仕舞い構造を有しており、
前記吸収性本体のうち前記非肌側フィルムの上端よりも上側の領域の前記縦方向における長さは、
前記ベルト部のうち前記端部仕舞い構造を有する部分の前記縦方向における長さよりも短い、ことを特徴とするパンツ型おむつ。
【請求項６】
請求項１〜５のいずれか１項に記載のパンツ型おむつであって、
前記吸収性本体の腹側で、前記縦方向において前記非肌側フィルムの上端よりも上側の領域に形成される皺の高さの最大値は、
前記吸収性本体の背側で、前記縦方向において前記非肌側フィルムの上端よりも上側の領域に形成される皺の高さの最大値よりも小さい、ことを特徴とするパンツ型おむつ。
【請求項７】
請求項１〜６のいずれか１項に記載のパンツ型おむつであって、
前記吸収性本体の腹側及び背側において、前記縦方向の上端かつ、前記横方向の中央には、前記縦方向の上側に突出した先端突出部を有する、ことを特徴とするパンツ型おむつ。
【請求項８】
請求項７に記載のパンツ型おむつであって、
前記先端突出部が、前記縦方向において前記接合部の上端よりも上側に突出している長さは、１ｍｍ以上、５ｍｍ以下である、ことを特徴とするパンツ型おむつ。
【請求項９】
請求項１〜８のいずれか１項に記載のパンツ型おむつであって、
前記ベルト部は、前記ベルト部の長手方向に沿って伸縮する複数の弾性部材を有し、
前記弾性部材は、前記ベルト部の長手方向の一端から他端まで連続して配置されている、ことを特徴とするパンツ型おむつ。
【請求項１０】
請求項１〜９のいずれか１項に記載のパンツ型おむつであって、
前記接合部は非肌側に起立するように設けられており、前記非肌側の端縁部には、前記吸収性本体と前記ベルト部とが接合されていないドライエッジを有し、
前記接合部の長手方向の両端部における前記ドライエッジの幅は、前記接合部の長手方向の中央部における前記ドライエッジの幅よりも短い、ことを特徴とするパンツ型おむつ。
【請求項１１】
請求項１〜１０のいずれか１項に記載のパンツ型おむつであって、
自然状態において、前記ベルト部の前記横方向の外側端かつ、前記縦方向の上側端の位置は、前記吸収性本体の上側端よりも前記縦方向の上側である、ことを特徴とするパンツ型おむつ。
【請求項１２】
請求項１１に記載のパンツ型おむつであって、
自然状態において、前記ベルト部の前記横方向の外側端かつ、前記縦方向の下側端の位置は、
前記ベルト部の前記横方向の外側端かつ、前記縦方向の上側端の位置よりも前記横方向の外側である、ことを特徴とするパンツ型おむつ。
【請求項１３】
互いに交差する縦方向と横方向とを有し、胴回り開口部と一対の脚回り開口部とが形成されており、
排泄液を吸収する吸収体と、前記吸収体よりも肌側に配された液透過性の肌側不織布と、前記吸収体よりも非肌側に配された液不透過性の非肌側フィルムと、前記非肌側フィルムよりも非肌側に配された外装不織布と、を備える吸収性本体と、
前記横方向の両側にそれぞれ配されて、前記吸収性本体の長手方向の各端部を連結し、前記胴回り開口部から前記脚回り開口部に向かって前記縦方向の下側かつ前記横方向の外側へ傾斜した二対の接合部にて前記吸収性本体と接合されたベルト部と、
を備えたパンツ型おむつの着用方法であって
下着の肌側に前記パンツ型おむつを重ねて配置することと、
前記パンツ型おむつ及び前記下着の脚回り開口部に着用者の脚を通した後、前記下着のサイド部分と共に前記ベルト部を斜め上方に引き上げることと、
腹側及び背側において、前記下着の前記縦方向の上端部と共に、前記吸収性本体の前記縦方向の上端部を上方に引き上げることと、
を有するパンツ型おむつの着用方法。
【発明の詳細な説明】
【技術分野】
【０００１】
本発明は、パンツ型おむつ及び、パンツ型おむつの着用方法に関する。
【背景技術】
【０００２】
従来、吸収性物品として、液吸収体（おむつ本体）と、該吸収体の両側に配置されたウエストベルトとによってパンツ型に形成された使い捨ておむつが知られている。例えば、特許文献１には、ウエストベルトの両端部がおむつ本体の長手方向の両端部に傾斜状に結合され、ウエストベルトの結合部間の両側部を切り欠くことによって脚回り部（脚回り開口）が形成された使い捨ておむつが開示されている。
【先行技術文献】
【特許文献】
【０００３】
【特許文献１】特開平９−２９０００３号公報
【発明の概要】
【発明が解決しようとする課題】
【０００４】
このようなパンツ型おむつは、日常生活等において下着の下に重ねて着用される場合がある。その場合、下着の下からおむつがはみ出さないように両者を着用できることが望ましい。しかしながら、一般的なおむつは不織布等の柔軟性の高いシート部材によって構成されていることから、おむつを引き上げる動作や位置を調整する動作においてシート部材が引っ張られる際に伸びが生じやすく、当該伸びた部分が下着からはみ出してしまうおそれがある。特に、吸収体をフィットさせるために吸収性本体の腹側及び背側の両側上端部をそれぞれ上方に引っ張ると、当該上端部が伸びてしまい、下着の上端から吸収性本体の一部がはみ出しやすい。また、おむつの各部寸法が下着の寸法よりも大きい場合、おむつが下着の下に収まり難くなる。
【０００５】
本発明は、上記のような従来の問題に鑑みてなされたものであって、その目的は、下着の下に重ねて着用する際に、下着の外にはみ出し難いパンツ型おむつを提供することにある。
【課題を解決するための手段】
【０００６】
上記目的を達成するための主たる発明は、互いに交差する縦方向と横方向とを有し、胴回り開口部と一対の脚回り開口部とが形成され、下着の下に着用されるパンツ型おむつであって、
排泄液を吸収する吸収体と、前記吸収体よりも肌側に配された液透過性の肌側不織布と、前記吸収体よりも非肌側に配された液不透過性の非肌側フィルムと、前記非肌側フィルムよりも非肌側に配された外装不織布と、を備える吸収性本体と、
前記横方向の両側にそれぞれ配されて、前記吸収性本体の長手方向の各端部を連結するベルト部と、
を有し、
前記ベルト部は、前記胴回り開口部から前記脚回り開口部に向かって前記縦方向の下側かつ前記横方向の外側へ傾斜した二対の接合部にて、前記吸収性本体と接合されており、
前記縦方向における前記ベルト部の一方側の端と他方側の端との間の距離の最小値は、５０ｍｍ以上１００ｍｍ以下であり、
前記ベルト部、及び、前記吸収性本体の股下部は、前記下着を着用した後に前記下着に隠れる位置に調整される大きさである、ことを特徴とするパンツ型おむつである。
本発明の他の特徴については、本明細書及び添付図面の記載により明らかにする。
【発明の効果】
【０００７】
本発明によれば、下着の下に重ねて着用する際に、下着の外にはみ出し難いパンツ型おむつを提供することが可能となる。
【図面の簡単な説明】
【０００８】
【図１】おむつ１の概略斜視図である。
【図２】図２Ａは、延板状態のおむつ１をベルト部３２側から見た概略平面図であり、図２Ｂは、図２Ａ中のＢ−Ｂ断面図である。
【図３】図３Ａは、図２Ａの延板状態のおむつ１において前側接合部ｊｆ，ｊｆ及び後側接合部ｊｂ，ｊｂの各接合を解いて各ベルト部３２，３２を横方向の外側に開いた状態の概略平面図であり、図３Ｂは、図３Ａ中のＢ−Ｂ断面図である。
【図４】図３ＡのＣ−Ｃ断面の構造について説明する概略断面図である。
【図５】着用者がおむつ１を着用し、更にその上から下着を着用した状態を正面（腹側）から見た場合について示す概略図である。
【図６】パンツ型形状のおむつ１を自然状態で正面（腹側）から見た場合の概略平面図である。
【図７】パンツ型形状のおむつ１を縦方向及び横方向に伸長させた状態の概略平面図である。
【図８】おむつの引っ張り強度について試験を行った結果について示す図である。
【図９】図９Ａは、図７中のＤ−Ｄ断面図である。図９Ｂは、図７中のＥ−Ｅ断面図である。
【発明を実施するための形態】
【０００９】
本明細書及び添付図面の記載により、少なくとも以下の事項が明らかとなる。
【００１０】
互いに交差する縦方向と横方向とを有し、胴回り開口部と一対の脚回り開口部とが形成されたパンツ型おむつであって、排泄液を吸収する吸収体と、前記吸収体よりも肌側に配された液透過性の肌側不織布と、前記吸収体よりも非肌側に配された液不透過性の非肌側フィルムと、前記非肌側フィルムよりも非肌側に配された外装不織布と、を備える吸収性本体と、前記横方向の両側にそれぞれ配されて、前記吸収性本体の長手方向の各端部を連結するベルト部と、有し、前記ベルト部は、前記胴回り開口部から前記脚回り開口部に向かって前記縦方向の下側かつ前記横方向の外側へ傾斜した二対の接合部にて、前記吸収性本体と接合されており、前記縦方向における前記ベルト部の一方側の端と他方側の端との間の距離の最小値は、５０ｍｍ以上１００ｍｍ以下であり、前記縦方向おいて、前記吸収性本体のうち前記非肌側フィルムの上端よりも上側の領域は、前記肌側不織布の層及び前記外装不織布の層を含む少なくとも３つの層を有している、ことを特徴とするパンツ型おむつ。
【００１１】
このようなパンツ型おむつによれば、下着と重ねて着用する際に、下着と共にベルト部を斜め上方に引っ張り上げやすくフィット性を向上させやすい。また、ベルト部の幅が所定範囲内に制限されていることにより、ベルト部が掴みやすく、着用した後は下着のサイド部分からベルト部がはみ出し難い。また、吸収性本体の上端部が３層構造であることにより当該部分の強度が高くなり、吸収性本体を引き上げる際に当該部分が伸び難い。したがって、下着と重ねて着用する際に、吸収性本体の上端部が下着からはみ出し難く、また、吸収体をしっかりと引き上げることで良好なフィット性を実現することができる。
【００１２】
かかるパンツ型おむつであって、前記肌側不織布よりも肌側に配された、液不透過性の疎水性シートを有する、ことが望ましい。
【００１３】
このようなパンツ型おむつによれば、吸収性本体の縦方向端部の肌側面に疎水性シートを設けることで、吸収性本体に吸収された排泄液が肌側に戻って染み出すことを抑制し、着用者に不快感を与え難くすることができる。また、吸収性本体の縦方向端部領域において、肌側不織布や外装不織布と積層されることにより、当該領域の強度を高めることができる。
【００１４】
かかるパンツ型おむつであって、前記吸収性本体のうち前記非肌側フィルムの上端よりも上側の領域を５０Ｎの力で前記縦方向の上側に引っ張ったときの伸び量が１．０ｍｍ以下である、ことが望ましい。
【００１５】
このようなパンツ型おむつによれば、おむつを着用する際に吸収性本体のうち非肌側フィルムの上端よりも上側の領域が上方に引っ張られた場合であっても、当該領域が伸び難く、吸収性本体の上端部が下着からはみ出すことが抑制される。また、当該領域を引っ張ることで、吸収体をしっかりと引き上げることが可能となるため、良好なフィット性を実現することができる。
【００１６】
かかるパンツ型おむつであって、前記吸収性本体のうち前記非肌側フィルムの上端よりも上側の領域の前記縦方向における長さが２０ｍｍ以上である、ことが望ましい。
【００１７】
このようなパンツ型おむつによれば、吸収性本体のうち非肌側フィルムの上端よりも上側の領域は、おむつ着用時において着用者が吸収性本体を引っ張る際に指で掴まれやすい領域であることから、当該領域の、強度を十分に確保しつつ、掴みやすい大きさの領域とすることで、着用者が吸収性本体を引き上げる動作を行いやすくすることができる。
【００１８】
かかるパンツ型おむつであって、前記ベルト部は、上端部が前記縦方向に折り返された端部仕舞い構造を有しており、前記吸収性本体のうち前記非肌側フィルムの上端よりも上側の領域の前記縦方向における長さは、前記ベルト部のうち前記端部仕舞い構造を有する部分の前記縦方向における長さよりも短い、ことが望ましい。
【００１９】
このようなパンツ型おむつによれば、ベルト部の上側端部領域が、吸収性本体のうち非肌側フィルムの上端よりも上側の領域に引っ張られるようにして共に上方に引き上げられやすくなる。したがって、吸収性本体を引き上げる動作により、ベルト部を含む胴回り開口部の全体の位置（高さ）を調整しやすくなり、フィット性が向上するとともに、おむつが下着からはみ出し難くなる。
【００２０】
かかるパンツ型おむつであって、前記吸収性本体の腹側で、前記縦方向において前記非肌側フィルムの上端よりも上側の領域に形成される皺の高さの最大値は、前記吸収性本体の背側で、前記縦方向において前記非肌側フィルムの上端よりも上側の領域に形成される皺の高さの最大値よりも小さい、ことが望ましい。
【００２１】
このようなパンツ型おむつによれば、おむつを下着の下に重ねて着用した際に、腹側において下着が厚さ方向の非肌側に過度に持ち上げられたり、下着の下でおむつがごわついたりすることが抑制され、良好なフィット性が得やすくなる。また、下着の下におむつを着用していることが目立ち難くなる。
【００２２】
かかるパンツ型おむつであって、前記吸収性本体の腹側及び背側において、前記縦方向の上端かつ、前記横方向の中央には、前記縦方向の上側に突出した先端突出部を有する、ことが望ましい。
【００２３】
このようなパンツ型おむつによれば、使用者はおむつの横方向における中央位置を一見して認識しやすくなる。これにより、おむつを着用する際に、身体の正しい位置に吸収性本体をフィットさせやすくなり、吸収性本体が横方向にずれた状態で着用されることによる排泄物の横漏れ等を効果的に抑制することができる。
【００２４】
かかるパンツ型おむつであって、前記先端突出部が、前記縦方向において前記接合部の上端よりも上側に突出している長さは、１ｍｍ以上、５ｍｍ以下である、ことが望ましい。
【００２５】
このようなパンツ型おむつによれば、先端突出部の突出長さを１ｍｍ以上とすることで先端突出部が視認し難くなることが抑制される。そして、先端突出部の突出長さを５ｍｍ以下とすることで、先端突出部が捲れたり折れ曲がったりすることや下着からはみ出してしまうことが抑制される。これにより、先端突出部が横方向における中央位置を示す目印としての機能を発揮しやすくなる。
【００２６】
かかるパンツ型おむつであって、前記ベルト部は、前記ベルト部の長手方向に沿って伸縮する複数の弾性部材を有し、前記弾性部材は、前記ベルト部の長手方向の一端から他端まで連続して配置されている、ことが望ましい。
【００２７】
このようなパンツ型おむつによれば、弾性部材が長手方向について非連続部を有していないことにより、ベルト部を斜め上方向に引っ張る力が途中で分断されることなく弾性部材に作用し、ベルト部の長手方向の全長に亘って伸縮性が発現する。これにより、吸収性本体を引き上げる効果が向上し、おむつのフィット性をより高めることができる。
【００２８】
かかるパンツ型おむつであって、前記接合部は非肌側に起立するように設けられており、前記非肌側の端縁部には、前記吸収性本体と前記ベルト部とが接合されていないドライエッジを有し、前記接合部の長手方向の両端部における前記ドライエッジの幅は、前記接合部の長手方向の中央部における前記ドライエッジの幅よりも短い、ことが望ましい。
【００２９】
このようなパンツ型おむつによれば、胴回り開口部や脚回り開口部付近でドライエッジの幅を小さくすることにより下着と接合部とが干渉することを抑制し、おむつ着用時において、着用者に胴回りや脚回りの違和感を生じ難くすることができる。
【００３０】
かかるパンツ型おむつであって、自然状態において、前記ベルト部の前記横方向の外側端かつ、前記縦方向の上側端の位置は、前記吸収性本体の上側端よりも前記縦方向の上側である、ことが望ましい。
【００３１】
このようなパンツ型おむつによれば、自然状態からベルト部が斜め上に向いているため、ベルト部を掴んで引き上げる際に、力が斜めにかかりやすく、吸収性本体の全域に力が伝わりやすい。これにより、ベルト部が斜め上方に引き上げやすくなり、該ベルト部に連動して吸収性本体も引き上げられつつ拡幅しやすくなる。したがって、おむつのフィット性を向上させやすくなる。
【００３２】
かかるパンツ型おむつであって、自然状態において、前記ベルト部の前記横方向の外側端かつ、前記縦方向の下側端の位置は、前記ベルト部の前記横方向の外側端かつ、前記縦方向の上側端の位置よりも前記横方向の外側である、ことが望ましい。
【００３３】
このようなパンツ型おむつによれば、手で掴む部分であるベルト部の横方向両端部が斜めになっているので、ベルト部を掴んで引き上げる動作を行いやすくなる。
【００３４】
また、互いに交差する縦方向と横方向とを有し、胴回り開口部と一対の脚回り開口部とが形成され、下着の下に着用されるパンツ型おむつであって、排泄液を吸収する吸収体と、前記吸収体よりも肌側に配された液透過性の肌側不織布と、前記吸収体よりも非肌側に配された液不透過性の非肌側フィルムと、前記非肌側フィルムよりも非肌側に配された外装不織布と、を備える吸収性本体と、前記横方向の両側にそれぞれ配されて、前記吸収性本体の長手方向の各端部を連結するベルト部と、を有し、前記ベルト部は、前記胴回り開口部から前記脚回り開口部に向かって前記縦方向の下側かつ前記横方向の外側へ傾斜した二対の接合部にて、前記吸収性本体と接合されており、前記縦方向における前記ベルト部の一方側の端と他方側の端との間の距離の最小値は、５０ｍｍ以上１００ｍｍ以下であり、前記ベルト部、及び、前記吸収性本体の股下部は、前記下着を着用した後に前記下着に隠れる位置に調整される大きさである、ことを特徴とするパンツ型おむつが明らかとなる。  
【００３５】
このようなパンツ型おむつによれば、おむつに重ねて下着を着用することで、おむつ着用時の違和感が生じ難くなり、着用者は通常の下着を着用している感覚で日常生活を送ることができる。その際、おむつが下着の下に隠れて目立ちにくいため、着用者は、おむつを着用していることを意識しにくく、精神的な不安感を生じにくくなる。
【００３６】
また、互いに交差する縦方向と横方向とを有し、胴回り開口部と一対の脚回り開口部とが形成されており、排泄液を吸収する吸収体と、前記吸収体よりも肌側に配された液透過性の肌側不織布と、前記吸収体よりも非肌側に配された液不透過性の非肌側フィルムと、前記非肌側フィルムよりも非肌側に配された外装不織布と、を備える吸収性本体と、前記横方向の両側にそれぞれ配されて、前記吸収性本体の長手方向の各端部を連結し、前記胴回り開口部から前記脚回り開口部に向かって前記縦方向の下側かつ前記横方向の外側へ傾斜した二対の接合部にて前記吸収性本体と接合されたベルト部と、を備えたパンツ型おむつの着用方法であって下着の肌側に前記パンツ型おむつを重ねて配置することと、前記パンツ型おむつ及び前記下着の脚回り開口部に着用者の脚を通した後、前記下着のサイド部分と共に前記ベルト部を斜め上方に引き上げることと、腹側及び背側において、前記下着の前記縦方向の上端部と共に、前記吸収性本体の前記縦方向の上端部を上方に引き上げることと、を有するパンツ型おむつの着用方法が明らかとなる。
【００３７】
このようなパンツ型おむつの着用方法によれば、おむつに重ねて下着を着用することで、おむつ着用時の違和感が生じ難くなり、着用者は通常の下着を着用している感覚で日常生活を送ることができる。そして、下着とおむつとを一緒に着用することで、下着に対しておむつの位置がずれにくく、また、下着の下からはみ出さないようにおむつを着用することができる。
【００３８】
＝＝＝実施形態＝＝＝
本実施形態に係る吸収性物品の一例としてのパンツ型使い捨ておむつ１（以下、おむつ１とも呼ぶ）について説明する。本実施形態のおむつ１は、下着の下に重ねて着用することが可能であり、その際、下着からはみ出すことなく着用できるように各部が構成されている。図１は、おむつ１の概略斜視図である。このおむつ１は、着用前の時点で既に図１のようなパンツ型状態となっている。そして、このパンツ型状態において、同おむつ１は、互いに直交する縦方向と横方向と前後方向とを有している。なお、同おむつ１の着用時には、上記の縦方向は、上下方向を向いていることが多い。そのため、以下では、縦方向のことを「上下方向」とも言う。また、この上下方向については、上側が、着用者の胴回り側に対応し、下側が、着用者の股下側に対応している。他方、前後方向については、前側が、着用者の腹側に対応し、後側が、着用者の背側に対応している。
【００３９】
また、同パンツ型状態においては、おむつ１は、上下方向に長手方向を沿わせつつ同長手方向の略中央位置ＣＬＬ１０（図２Ａ）で２つ折りされた帯状の吸収性本体１０と、横方向の両側にそれぞれ配されて、上記吸収性本体１０における長手方向の各端部１０ｅＬｆ，１０ｅＬｂ同士を連結する各ベルト部３２，３２と、吸収性本体１０の横方向の両側にそれぞれ位置して脚回り開口部ＬＨを形成する各レッグギャザー部３７，３７と、を有している。
【００４０】
すなわち、吸収性本体１０の各端部１０ｅＬｆ，１０ｅＬｂのうちの一方の端部１０ｅＬｆは、上方且つ前側に位置し、他方の端部１０ｅＬｂは、上方且つ後側に位置している。また、おむつ１の前側には、縦方向の上側から下側、かつ、横方向の内側から外側へ傾斜した前側接合部ｊｆ，ｊｆ（接合部に相当）が、横方向に並んで一対設けられており、同様に、おむつ１の後側にも、縦方向の上側から下側、かつ、横方向の内側から外側へ傾斜した後側接合部ｊｂ，ｊｂ（接合部に相当）が、横方向に並んで一対設けられている。そして、前者の一対の前側接合部ｊｆ，ｊｆによって、前側に位置する吸収性本体１０の端部１０ｅＬｆと各ベルト部３２，３２の横方向の端部３２ｅＬｆ，３２ｅＬｆとが接合されているとともに、前側に位置する各レッグギャザー部３７，３７の端部３７ｅＬｆ，３７ｅＬｆと各ベルト部３２，３２の横方向の端部３２ｅＬｆ，３２ｅＬｆとが接合されている。また、同様に、後者の一対の後側接合部ｊｂ，ｊｂによって、後側に位置する吸収性本体１０の端部１０ｅＬｂと各ベルト部３２，３２の横方向の端部３２ｅＬｂ，３２ｅＬｂとが接合されているとともに、後側に位置する各レッグギャザー部３７，３７の端部３７ｅＬｂ，３７ｅＬｂと各ベルト部３２の横方向の端部３２ｅＬｂ，３２ｅＬｂとが接合されている。
【００４１】
そして、これにより、同パンツ型状態においては、吸収性本体１０の上記各端部１０ｅＬｆ，１０ｅＬｂと各ベルト部３２，３２の上端部とによって、おむつ１の上部に胴回り開口部ＢＨが形成されている。また、各レッグギャザー部３７，３７における横方向の外側の端部と各ベルト部３２，３２の下端部とによって、横方向の両側に一対の脚回り開口部ＬＨ，ＬＨが形成されている。
【００４２】
また、各ベルト部３２には、それぞれ、横方向に沿った糸ゴム３３，３３…が上下方向に複数並んで配置されていて、これにより、各ベルト部３２には、横方向の伸縮性が付与されている。他方、各レッグギャザー部３７にも、それぞれ、吸収性本体１０の長手方向に沿った糸ゴム３８，３８が横方向に複数並んで配置されていて、これにより、各レッグギャザー部３７には、上下方向の伸縮性が付与されている。そして、これらの伸縮性に基づいて、おむつ１の胴回り開口部ＢＨ及び脚回り開口部ＬＨは、それぞれ、着用者の胴回りや脚回りにフィットするようになっている。
【００４３】
また、図３に示されるように、ベルト部３２は、胴回り開口部ＢＨを形成する部分（図３においてベルト部３２の横方向外側端部）がまっすぐに延びているのに対して、脚回り開口部ＬＨを形成する部分（図３においてベルト部３２の横方向内側端部）は、胴回り開口部ＢＨ側に凸となるような曲線（Ｒ形状）を描いている。これにより、パンツ型に形成した状態で脚回り開口部ＬＨが下着の脚回りのカーブに沿いやすくなり、下着の下に着用した場合であっても、おむつ１が下着からはみ出しにくくなる。また、このような曲線形状により、おむつ１の着用動作で（着用動作の詳細については後述する）、ベルト部３２を斜め上方に引き上げる際に、パンツ型形状におけるベルト部３２の横方向端部領域に斜め上方の力が作用しやすくなり、ベルト部３２を斜め上方にスムーズに引き上げることができる。
【００４４】
このようなおむつ１は、その製造過程の最終段階で、図２Ａ及び図２Ｂのような延板状態となっている。なお、図２Ａは、当該延板状態のおむつ１をベルト部３２側から見た概略平面図であり、図２Ｂは、図２Ａ中のＢ−Ｂ断面図である。図３Ａは、図２Ａの延板状態のおむつ１において前側接合部ｊｆ，ｊｆ及び後側接合部ｊｂ，ｊｂの各接合をそれぞれ解いて吸収性本体１０の肌側面が見えるように各ベルト部３２，３２を横方向の外側に開いた状態の概略平面図であり、図３Ｂは、図３Ａ中のＢ−Ｂ断面図である。図４は、図３ＡのＣ−Ｃ断面の構造について説明する概略断面図である。また、図２Ｂ，図３Ｂ及び図４中に示す波形線は、接着剤を模式的に示したものであり、更に、左斜め下線のハッチング模様で示す部分は、溶着部を模式的に示したものである。
【００４５】
図２Ａの延板状態のおむつ１は、図１のパンツ型状態のおむつ１において吸収性本体１０の２つ折りが解除されるように同吸収性本体１０をその長手方向と平行な前後方向の両側に引っ張って伸ばした状態に相当している。そして、この延板状態においては、図２Ｂに示すように、吸収性本体１０及びレッグギャザー部３７，３７の各肌側面には、各ベルト部３２，３２が重なった状態になっている。  
ちなみに、逆に言えば、この延板状態のおむつ１における一対のベルト部３２，３２の横方向の内側の各端部３２ｅＷ１，３２ｅＷ１をそれぞれ横方向の外側に引っ張りながら、吸収性本体１０を長手方向の略中央位置ＣＬＬ１０で二つ折りすれば、おむつ１は、図１のようなパンツ型状態になる。
【００４６】
また、この延板状態においては、おむつ１は、互いに直交する長手方向と横方向と厚さ方向とを有している。そして、この長手方向は、パンツ型状態の縦方向と平行である。また、同長手方向の一方側及び他方側は、それぞれ、着用者の腹側たる前側及び背側たる後側に対応することから、以下では、一方側及び他方側のことを、それぞれ「前側」及び「後側」とも言う。更に、当該延板状態においては、同おむつ１の長手方向は、吸収性本体１０、ベルト部３２、及びレッグギャザー部３７の各長手方向とも揃っている。そのため、以下では、これらを区別せずに単に「長手方向」と言う。一方、横方向については、パンツ型状態の横方向と同じであり、以下では、単に「横方向」と言う。また、厚さ方向については、着用者の身体に接触する側のことを「肌側」ともいい、その逆側のことを「非肌側」とも言う。
【００４７】
更に、この延板状態では、おむつ１を長手方向に伸長した状態にしているが、この「伸長した状態」と言うのは、おむつ１に配置された各弾性部材（例えばベルト部３２の糸ゴム３３やレッグギャザー部３７の糸ゴム３８等）による収縮力に抗しておむつ１を長手方向に伸長した場合に、各弾性部材が配置されている部分において実質的に皺やギャザーが視認できなくなる程度まで伸長させた状態のことを言う。したがって、長手方向に伸長した状態におけるおむつ１の形状は、各弾性部材による収縮力が発現していない状態において平坦に延びているおむつ１の形状と同じである。
【００４８】
以下、この延板状態のおむつ１を適宜参照しながら、同おむつ１の構成について説明する。  
図２Ａ及び図２Ｂの延板状態においては、吸収性本体１０の横方向の両側にそれぞれレッグギャザー部３７，３７が位置しており、また、吸収性本体１０の肌側面及び各レッグギャザー部３７，３７の肌側面に重なるように一対のベルト部３２，３２が横方向に並んで位置している。
【００４９】
かかるベルト部３２及びレッグギャザー部３７は、同一のシート部材３０で形成されている。すなわち、図３Ａ及び図３Ｂに示すように、吸収性本体１０の横方向の両側には、それぞれ、シート部材３０，３０が１つずつ配置されていて、各シート部材３０，３０の横方向の内側の端部３０ｅＷ，３０ｅＷは、それぞれ、吸収性本体１０の横方向の各端部１０ｅＷ，１０ｅＷに接合されている。詳しくは、当該内側の端部３０ｅＷが、吸収性本体１０を構成する後述のトップシート１２とバックシート１４又は外装シート１６との間に介挿されつつ、これらのシート１２，１４，１６に接着剤又は溶着で接合されている。また、図３Ｂに示すように、シート部材３０のうちでベルト部３２となる部分とレッグギャザー部３７となる部分との間には、長手方向に沿った折り返し線ＦＬが設定されている。そして、各シート部材３０には、それぞれ、当該折り返し線ＦＬを横方向に跨ぐように脚回り開口部ＬＨが厚さ方向に貫通形成されている。よって、当該折り返し線ＦＬでシート部材３０を横方向の内側に折り返すことにより、上記のベルト部３２とレッグギャザー部３７とが形成される。そして、図２Ａに示す前述の前側接合部ｊｆ，ｊｆ及び後側接合部ｊｂ，ｊｂで、吸収性本体１０及びレッグギャザー部３７，３７と各ベルト部３２，３２とを接合して上記の折り返し状態に固定することにより、上記の延板状態のおむつ１が形成される。
【００５０】
なお、前側接合部ｊｆ及び後側接合部ｊｂの形成は、例えばヒートシールや超音波シール等による溶着処理や接着剤による接着処理でなされ、ここでは、溶着処理でなされている。
【００５１】
また、図３Ｂに示すように、かかるシート部材３０の形成は、例えば不織布等の柔軟なシート３０ａ，３０ａを厚さ方向に二枚重ねにしてなされ、そして、これら二枚重ねのシート３０ａ，３０ａ同士の間には前述の糸ゴム３３，３８、すなわち、ベルト部３２の糸ゴム３３，３３…及びレッグギャザー部３７の糸ゴム３８，３８が長手方向に伸長された状態で固定されている。
【００５２】
更に、この例では、図２Ｂに示すように、ベルト部３２において胴回り開口部ＢＨとなる部分には、肌ストレス軽減用に端部仕舞い構造が付与されている。すなわち、この延板状態のおむつ１においては、ベルト部３２における横方向の内側の端部３２ｅＷ１，３２ｅＷ１が、胴回り開口部ＢＨとなる部分であるが、当該端部３２ｅＷ１，３２ｅＷ１は、横方向に複数回折り返されて接着剤等で当該折り返し状態に固定されていて、これにより、着用者の肌への負荷軽減が図られている。また、このような端部仕舞い構造を有することにより、ベルト部３２の横方向中央部よりも横方向の端部（胴回り開口部ＢＨ側の端部）における厚みが厚くなっている。これにより、胴回り開口部ＢＨにおけるクッション性が高くなると共に、おむつ１の着用時にベルト部３２の上端部（端部仕舞い構造）が着用者の骨盤（腸骨）の頂点位置よりも上側に配置され、厚みを有する部分が骨盤の出っ張りに引っかかることでベルト部３２が下方にずれ落ちにくくなる。したがって、おむつ１のフィット性を向上させることができる。但し、何等これに限らない。すなわち、端部３２ｅＷ１を折り返さず当該端部仕舞い構造を省略しても良い。
【００５３】
図３Ａに示すように、吸収性本体１０は、長手方向の各端部１０ｅＬｆ，１０ｅＬｂがそれぞれ平面視略Ｖ字形に先細った形状のシート状部材である。すなわち、吸収性本体１０は、長手方向の各端部１０ｅＬｆ，１０ｅＬｂに、前述の一対の前側接合部ｊｆ，ｊｆ及び一対の後側接合部ｊｂ，ｊｂに対応した形状を有している。また、図３Ｂに示すように、同吸収性本体１０は、尿等の排泄液を吸収する吸収体１１と、同吸収体１１よりも肌側に配された液透過性のトップシート１２と、同吸収体１１よりも非肌側に配された液不透過性のバックシート１４と、バックシート１４よりも非肌側に配された外装シート１６と、を有する。
【００５４】
そして、これら各部材１１，１２，１４，１６は、それぞれ、厚さ方向に隣接する部材と、ホットメルト接着剤又は溶着等で接合されている。すなわち、吸収性本体１０の長手方向の各端部１０ｅＬｆ，１０ｅＬｂにおいて、各部材１１，１２，１４，１６がそれぞれ積層された状態で接合され、長手方向について固定されている。これにより、各端部１０ｅＬｆ，１０ｅＬｂが長手方向（パンツ型形状における縦方向）に伸びにくくなり、吸収性本体１０が下着の中に収まりやすくなる。各端部１０ｅＬｆ，１０ｅＬｂの伸びの影響については後で説明する。なお、各部材を接合する接着剤の塗布パターンとしては、Ωパターンやスパイラルパターン、ストライプパターン等を例示できて、このことは、この後に出てくる他の接着剤についてだけでなく、既述の接着剤についても同様である。
【００５５】
また、おむつ１を下着の下に着用する際に、おむつ１が下着に隠れるようにするため、吸収性本体１０の長手方向の寸法たる製品長は、なるべく短くすることが望ましい。具体的には、４５０〜７５０ｍｍであることが好ましい。すなわち、４５０ｍｍ未満であると、お尻を覆うことができずに不安感を助長し、７５０ｍｍを超えると、腰周りを超えてしまうため、装着時に違和感を引き起こすが、上記範囲にしていれば、これらを防ぐことができると共に、おむつ１が下着からはみ出しにくくなる。
【００５６】
また、本実施形態の吸収性本体１０は、横方向の中央、かつ、長手方向腹側の端部において、長手方向の外側（パンツ型形状における縦方向の上側）に円弧状に突出した先端突出部１０ｓを有している。おむつ１をパンツ型形状にした際に、横方向の中央においてこの先端突出部１０ｓがベルト部３２の上端（端部３２ｅＷ１）よりも上側に突出していることにより（図１等参照）、使用者はおむつ１（吸収性本体１０）の横方向における中央位置を一見して認識しやすくなる。これにより、おむつ１を着用する際に、身体の正しい位置に吸収性本体１０をフィットさせやすくなり、吸収性本体１０が横方向にずれた状態で着用されることによる排泄物の横漏れ等が生じるのを抑制することができる。
【００５７】
なお、おむつ１を着用する動作を開始する際に、腹側及び背側においておむつ１が下着の中に収まっているか否かを確認可能とするため、先端突出部１０ｓは吸収性本体１０の背側及び腹側の両端部に設けられていることが望ましい（図２、図３等参照）。これにより、おむつ１の着用時に、背側及び腹側においておむつ１の中央部が下着からはみ出していないことを視認しやすくなり、おむつ１の全体が下着からはみ出さないように調整する作業を容易に行うことができる。
【００５８】
吸収体１１は、液体吸収性の吸収性コア（不図示）と、同コアの外周面を被覆する不図示のコアラップシートと、を有する。吸収性コアは、所定の液体吸収性素材を所定形状に成形したものであり、図３Ａの例では、前端と後端とに円弧状部分を有した平面視略矩形状の成形体である。但し、何等これに限らない。また、液体吸収性素材としては、パルプ繊維等の液体吸収性繊維や、高吸収性ポリマー（所謂ＳＡＰ）等の液体吸収性粒状物を例示できるが、何等これに限らない。また、コアラップシートには、ティッシュペーパーや不織布等の液透過性シートを使用可能であるが、場合によっては、コアラップシートを省略しても良い。なお、吸収体１１の長手方向の寸法は、上記の製品長の３５〜８５％にあることが好ましい。この理由は、３５％以上でないと、吸収体１１で股間部を覆うことができずに漏れてしまう一方、８５％を超えると、装着時に違和感を引き起こすためである。
【００５９】
吸収体１１を横方向に伸長させた状態における幅Ｗ１１（すなわち、横方向における吸収体１１の一方側の端と他方側の端との間の距離）は、５０ｍｍ以上、１２０ｍｍ以下であることが望ましい（１２０ｍｍ≧Ｗ１１≧５０ｍｍ）。吸収体１１の幅Ｗ１１を１２０ｍｍ以下とすることにより、下着の下に重ねておむつ１を着用する際に、股間部において吸収体１１をもたつきなく下着の中に収めやすくなる。また、幅Ｗ１１を５０ｍｍ以上とすることにより、排泄物等を吸収するための面積（吸収容量）を十分に確保しやすくなる。
【００６０】
また、吸収体１１の表面には複数の溝部１７が形成されている。本実施形態において、溝部１７は、第１溝部１７１と、第２溝部１７２と、第３溝部１７３とを有している（図２参照）。溝部１７は、吸収体１１の横方向の中央において長手方向に沿って直線状に形成されている。第２溝部１７２は、第１溝部１７１の横方向の中央を通り長手方向に沿った直線（すなわち、第１溝部１７１の延長線に相当する直線）と交差しつつ長手方向の後側（背側）に向けて横方向の外側に広がった放物線状に形成されている。第３溝部１７３は、第２溝部１７２よりも長手方向の前側において第１溝部１７１と交差しつつ長手方向の前側（腹側）に向けて横方向の外側に広がった放物線状に形成されている。
【００６１】
これらの溝部１７は、いずれも所定の圧搾手段によって吸収体１１の表面を圧搾することによって形成された圧搾部である。なお、溝部１７は、吸収体１１が圧搾された圧搾部として形成されるのではなく、スリットとして形成されていても良い。また、図２のように連なった線状に形成されるのではなく、点状やその他の形状の圧搾部が複数並ぶことによって形成されていても良い。
【００６２】
第１溝部１７１は、吸収体１１が厚さ方向に折れ曲がるように誘導する折り曲げ誘導部としての機能を有する。具体的に、おむつ１の着用時において、着用者の股下部では第１溝部１７１に沿って吸収体１１が着用者の肌側に突出した山型に折れ曲がることで、着用者の身体形状にあわせて吸収体１１を適切に変形させることができる。なお、本実施形態のおむつ１は、下着の下に着用することを想定しており、吸収体１１は下着よりも着用者の身体に近い位置に配置される。一般的な下着の股間幅（クロッチ幅）は５０〜８０ｍｍの範囲であることから、第１溝部１７１を設けることによって吸収体１１を変形させることにより、股間部において下着のクロッチ幅内に吸収体１１をより確実に納めやすくすることができる。すなわち、上述の寸法範囲（１２０ｍｍ≧Ｗ１１≧５０ｍｍ）としたうえで、さらに身体の凹凸形状に沿って吸収体１１を立体的に変形させることで、吸収体１１の横方向における実質的な幅を狭くすることができる。これにより、股間部において吸収体１１が下着からよりはみ出しにくくなる。
【００６３】
また、第１溝部１７１が配置されている領域よりも背側の領域では、吸収体１１を山型形状に変形させる力が第２溝部１７２によって横方向の外側へ伝達され、吸収体１１は該背側領域において平面状に保たれやすくなるため、着用者の身体背部の平坦な部分にフィットしやすくなる。また、吸収体１１は、第３溝部１７３の放物線に沿って曲面状に変形しやすくなるため、着用者の臀部の丸みに対して良好なフィット性を実現することができる。
【００６４】
トップシート１２は、不織布等の液透過性シートで形成され、ここでは、エアスルー不織布が使用されている。すなわち、トップシート１２は「肌側不織布」に相当する。トップシート１２の平面サイズは、図３Ａに示すように、吸収体１１の長手方向の両側及び横方向の両側から突出するようなサイズである。そして、横方向に突出する部分１２ｅＷ，１２ｅＷは、図３Ｂに示すように、非肌側且つ横方向の内側に曲げられていて、これにより、当該突出する部分１２ｅＷ，１２ｅＷは、吸収体１１の横方向の端部１１ｅＷを非肌側からも覆っている。よって、トップシート１２の横方向の端部１２ｅＷ，１２ｅＷが肌と擦れないため、装着時の違和感が低減する。
【００６５】
バックシート１４は、ポリエチレンフィルム又はポリプロピレンフィルム等の液不透過性シートで形成されている。すなわち、バックシート１４は「非肌側フィルム」に相当する。バックシート１４も、吸収体１１の長手方向の両側及び横方向の両側から突出するような平面サイズのシート部材である。
【００６６】
外装シート１６は、不織布等の柔軟なシートで形成される。すなわち、外装シート１６は「外装不織布」に相当する。外装シート１６は、バックシート１４の長手方向の両側及び横方向の両側から突出するようなサイズのシート部材である。
【００６７】
ちなみに、以下の説明では、「吸収性本体１０の肌側面」といった表現が使用される場合があるが、この吸収性本体１０の肌側面を形成するシートは、同本体１０の平面位置に応じて変化する。すなわち、トップシート１２が存在している位置では、トップシート１２の肌側面が吸収性本体１０の肌側面を形成する。しかし、トップシート１２が存在しておらずバックシート１４が存在している位置では、バックシート１４の肌側面が吸収性本体１０の肌側面を形成し、また、トップシート１２及びバックシート１４の両者が存在していない位置では、外装シート１６の肌側面が吸収性本体１０の肌側面を形成する。
【００６８】
吸収性本体１０における長手方向の各端部１０ｅＬｆ，１０ｅＬｂには、それぞれ、同吸収性本体１０の肌側面を覆うように疎水性シート５０，５０（図３中では、ドット模様の部分を参照）が設けられている。すなわち、トップシート１２（肌側不織布）の肌側には、疎水性シート５０が積層されている。吸収性本体１０の長手方向の各端部１０ｅＬｆ，１０ｅＬｂは、おむつ１着用時において着用者の腹部又は臀部に対向し得る部位であり、これら各端部１０ｅＬｆ，１０ｅＬｂの肌側が排泄液で濡れていると、着用者に不快感を生じさせるおそれがある。これに対して、各端部１０ｅＬｆ，１０ｅＬｂの肌側面に疎水性シート５０を設けることで、吸収性本体１０に吸収された排泄液が肌側に戻って染み出すことを抑制し、着用者に不快感を与え難くすることができる。
【００６９】
なお、トップシート１２、バックシート１４、外装シート１６、及び疎水性シート５０は、いずれも図４に示されるように、縦方向（長手方向）において吸収体１１の上端１１ｅＬｆよりも上方（胴回り側）に突出した部分を有している。更に、トップシート１２、外装シート１６及び疎水性シート５０は、バックシート１４の上端１４ｅＬｆよりも上方（胴回り側）に突出した部分を有している。すなわち、本実施形態のおむつ１では、吸収性本体１０のうち、バックシート１４（非肌側フィルム）の腹側の上端１４ｅＬｆよりも上側の領域１０ｕｆにおいて、トップシート１２、外装シート１６及び疎水性シート５０を含む少なくとも３つの層を有している。なお、図４では長手方向の腹側についてのみ吸収性本体１０の断面構造が示されているが、吸収性本体１０は、背側についても略同様の断面構造を有している。すなわち、吸収性本体１０は、バックシート１４（非肌側フィルム）の背側の上端１４ｅＬｂよりも上側の領域１０ｕｂ（いずれも不図示）において、少なくとも３つの層を有している。
【００７０】
そして、吸収性本体の長手方向の端部１０ｅＬｆ，１０ｅＬｂでは、これらの各層（シート部材）が積層された状態で互いに接合されている。通常のパンツ型おむつであれば、積層されたシート部材同士は、その間に挟まれた弾性部材（糸ゴム）を介して接合されている。すなわち、積層されたシート部材同士は弾性部材が存在する部分では互いに接合されているが、弾性部材が存在していない部分では互いに接合されておらず、シート部材が引っ張られた場合には接合されていない部分が伸びやすい構造を有している。これに対して、本実施形態では、積層されたシート部材同士が面で接合されているため、全体として伸びにくい構成を有している。
【００７１】
＝＝＝おむつ１の着用態様について＝＝＝
上述したように、本実施形態のおむつ１は、下着の下に重ねて着用することが可能である。特に、大人がおむつ１の上から下着を重ねて着用する際には、おむつ着用時の違和感が生じ難くなり、着用者は通常の下着を着用している感覚で日常生活を送ることができる。おむつ１を下着と共に着用する場合、予め下着の内側（肌側）におむつ１を重ねて配置しておき、脚回り開口部に着用者の脚を通した後、おむつ１と下着とを一緒に引き上げることで、手間をかけることなくおむつ１及び下着を着用することができる。もちろん、おむつ１を着用した後でその上から下着を着用するようにしても良い。
【００７２】
図５は、着用者がおむつ１を着用し、更にその上から下着を着用した状態を正面（腹側）から見た場合について示す概略図である。同図５では、下着を実線で表し、おむつ１を破線で表している。図６は、パンツ型形状のおむつ１を自然状態で正面（腹側）から見た場合の概略平面図である。「自然状態」とは、おむつ１を所定時間放置した時の状態である。例えば、おむつ１のベルト部３２を横方向の両外側に引っ張り、ベルト部３２及び吸収性本体１０を「伸長した状態」として、この伸長状態を１５秒間継続させた後、おむつ１の引っ張りを解除して机等の平面に置く。そして、このような平面平置きで５分間経過させた状態が自然状態である。図７は、パンツ型形状のおむつ１を縦方向及び横方向に伸長させた状態の概略平面図である。なお、図７における「伸長させた状態」は、上述した「伸長した状態」と同義である。また、ベルト部３２は、自然状態においては図６のように横方向に対して斜めに傾いているが、伸長した状態では図７のように横方向に真っ直ぐに延びた形状となる。
【００７３】
おむつ１と下着とを重ねて着用する際には、図５の太破線矢印で示されるようにおむつ１のベルト部３２の横方向両側部分及び下着のサイド部を掴んで斜め上方向に引っ張る動作が行われる。おむつ１では、横方向両側に配置された一対のベルト部３２，３２がそれぞれ前側接合部ｊｆ，ｊｆ（後側接合部ｊｂ，ｊｂ）によって吸収性本体１０に対して斜めに接合されていることから、自然状態においてベルト部３２の長手方向が斜め上方向を向いている。具体的には、図６に示されるように、ベルト部３２の横方向外側端かつ縦方向上側端をベルト上端３２ｅｏｕとすると、自然状態において上端３２ｅｏｕの位置は吸収性本体１０の上端（先端突出部１０ｓの上端）の位置よりも縦方向の上側となる。さらに、ベルト部３２の横方向外側端かつ縦方向下側端をベルト下端３２ｅｏｄとすると、自然状態において下端３２ｅｏｄの位置は上端３２ｅｏｕの位置よりも横方向の外側となる。この構成により、自然状態におけるベルト部３２は吸収性本体１０に対して、横方向の外側かつ縦方向の上側に向かって斜めになる。
【００７４】
そして、ベルト部３２には、長手方向に沿って糸ゴム３３が設けられていることから、ベルト部３２を斜め上方向に引っ張る力によって該糸ゴム３３が長手方向に伸長し、ベルト部３２に伸縮性が発現する。この伸縮性により、ベルト部３２及び前側接合部ｊｆを介して吸収性本体１０が横方向の両側から斜め上方向に効率よく引っ張り上げられ、吸収性本体１０が幅方向に拡幅されながら着用者の股間部にフィットしやすくなる。
【００７５】
通常のおむつでは弾性部材が横方向に伸縮するように配置されているため、斜め方向に力をかけようとすると、横方向に伸ばしてから縦方向に引き上げるという動作が必要になり、ベルト部材のいずれかの個所に歪が生じやすい。一方、おむつ１の構成では、自然状態でベルト部３２が斜め上方を向いているため、ベルト部３２を掴んで引き上げる際に、力が斜めにかかりやすく、斜めに引き上げる際にも力が局所的に集中することなく、ベルト部３２の延長線上にある吸収性本体１０の全域に力が伝わりやすい。つまり、糸ゴム３３による伸縮力が伸びにくい吸収性本体１０に伝わるため、伸びにくい部分を引き上げやすい。さらに、おむつ１の着用時に手で掴まれる部分であるベルト部３２の横方向両端部も斜めになっているため（上端３２ｅｏｕ及び下端３２ｅｏｄの位置関係より）、ベルト部３２をより引き上げやすい。
【００７６】
なお、一般的な下着は縦方向及び横方向に伸縮しやすい素材（例えば、ポリウレタン弾性繊維等）で形成されているため、おむつのベルト部が十分な伸縮性を有していない場合、おむつと下着とを重ねて着用する際に、下着の伸縮にベルト部の伸縮が追従できず両者を一緒に着用することは難しい。さらに、一般的な使い捨ておむつは自然状態でベルト部が斜め方向を向いておらず、吸収性本体とベルト部とを接合する接合部も斜め方向を向いていない。したがって、ベルト部を伸ばす力は横方向には伝わりやすいが、縦方向には伝わりにくく、下着の力と連動しにくい。
【００７７】
これに対して、本実施形態のおむつ１では、接合部ｊｆ，ｊｂが斜めに形成され、ベルト部３２が自然状態で斜め方向を向いており、さらにベルト部３２の横方向端部も斜めを向いているため、力が斜め方向にかかりやすい。これにより、縦方向にも横方向にも伸縮可能な下着を伸ばした時に発生する斜め上に引き上げる力がベルト部３２と連動しやすく、結果として下着からずれることなく、おむつ１を着用することができる。
【００７８】
また、ベルト部３２の縦方向における幅の最小値をｈ３２とする（図７参照）。すなわち、ｈ３２は、縦方向におけるベルト部３２の一方側の端と他方側の端との間の距離の最小値である。おむつ１では、この距離ｈ３２が５０ｍｍ以上１００ｍｍ以下となるように規定されている（１００ｍｍ≧ｈ３２≧５０ｍｍ）。ｈ３２を１００ｍｍ以下とすることにより、おむつ１を下着と重ねて着用する際に、ベルト部３２が下着のサイド部分からはみ出し難くなる。一方、ｈ３２を５０ｍｍ以上とすることにより、着用者の肌とベルト部３２との接触面積を十分に確保することが可能となり、ベルト部３２と着用者の肌との摩擦の作用により、ベルト部３２が滑ったり丸まって細くなったりすることを抑制しやすくなる。また、成人がものを掴むときに人差し指と親指を広げた時の長さが１００ｍｍ程度であることから、このような寸法であれば、成人が片手でベルト部３２を掴みやすく、ベルト部３２を斜め上方向に引っ張る動作を安定して行うことができる。これらにより、ベルト部３２のフィット性を高めると共に、下着の下からはみ出し難くすることができる。
【００７９】
ベルト部３２を斜め上方へ引っ張り上げた後、図５の太実線矢印で示されるように吸収性本体１０の腹側の端部１０ｅＬｆ及び背側の端部１０ｅＬｂ（図５では不図示）を上方へ引き上げ、吸収体１１を股間部にフィットさせる動作が行われる。この引き上げ動作では、吸収性本体１０の端部１０ｅＬｆ（１０ｅＬｂ）のうち上端（エッジ）部が掴まれて引っ張られる場合が多いが、おむつが不織布等の柔軟な素材で形成されていると、引っ張られた部分が伸びてしまう場合がある。特に、本実施形態のおむつ１は、下着の下に重ねて着用することを想定しているため、端部１０ｅＬｆ（１０ｅＬｂ）が伸びると、その伸びた部分が下着からはみ出してしまうとおそれがある。また、不織布が伸びることにより、吸収体１１をしっかりと引き上げることができず、フィット性が悪化するおそれがある。
【００８０】
これに対して、おむつ１では、吸収性本体１０の長手方向の端部１０ｅＬｆ（１０ｅＬｂ）において、所定数のシート部材を積層させて強度を高めることにより、当該領域を伸び難くしている。具体的には、図４に示されるように端部１０ｅＬｆにおいて、少なくとも３層以上の積層構造を有するように吸収性本体１０が構成されている。例えば、縦方向においてバックシート１４（非肌側フィルム）の上端１４ｅＬｆよりも上側の領域１０ｕｆでは、トップシート１２（肌側不織布）と外装シート１６（外装不織布）と、疎水性シート５０とからなる３つの層を有している。また、縦方向においてバックシート１４の上端１４ｅＬｆと吸収体１１の上端１１ｅＬｆとの間の領域１０ｍｆでは、上述の３層に加えて、バックシート１４（非肌側フィルム）を含む４つの層を有しているためより強度が高くなっている。更に、これ以外に他の不織布等が積層されていても良い。
【００８１】
図８は、おむつの引っ張り強度について試験を行った結果について示す図である。同図８では、本実施形態のおむつ１及び、不織布によって形成された２種類の既製品のおむつ（従来品）をサンプル１、サンプル２として、吸収性本体１０の長手方向の端部領域（領域１０ｕｆに相当する領域）を縦方向の上側に引っ張った際の荷重と伸びとの関係を表している。
【００８２】
サンプル１及びサンプル２は、いずれも横方向に連続するベルト部材を有し、端部１０ｅＬｆ（おむつ１では領域１０ｕｆ）に相当する領域におけるシート部材の積層数が２層以下の使い捨ておむつである。より具体的に、サンプル１は、横方に伸縮性を発現する弾性部材（糸ゴム）が横方向に沿って配置されており、該弾性部材は横方向の中央部（領域１０ｕｆに相当する部分）において非連続部分を有している。そして、当該非連続部分においては、弾性部材を挟んで積層されている２枚の不織布間が非接合となっている。一方、サンプル２は、横方に伸縮性を発現する弾性部材（糸ゴム）が横方向に沿って連続して配置されており、当該弾性部材を挟んで配置された２枚の不織布が弾性部材を介して横方向の中央部（領域１０ｕｆに相当する部分）において接合されている。
【００８３】
このようなサンプル１、サンプル２、及びおむつ１について、それぞれ領域１０ｕｆに相当する領域を引っ張り試験機で掴んで引っ張り、荷重を増加させていったときの伸び量を測定した。つまり、サンプル１では２枚のシート部材が接合されていない部分について引っ張り試験を行い、サンプル２では２枚のシート部材が間欠接合された部分について引っ張り試験を行い、おむつ１では、縦方向（長手方向）において３枚のシート部材が接合された部分について引っ張り試験を行った。その結果、いずれも荷重増加とともに伸び量が増加し、サンプル１では荷重５０Ｎでの伸び量が約７ｍｍ、また、伸び限界時の荷重は約７０Ｎであり、それ以降の正確な測定は困難であった。次に、サンプル２では、荷重５０Ｎでの伸び量が約１６ｍｍ、また伸び限界時の荷重が約１００Ｎであり、それ以降の正確な測定は困難であった。一方、本実施形態のおむつ１では、荷重５０Ｎでの伸び量が１ｍｍ以下、荷重１００Ｎでの伸び量が約２ｍｍ、そして、伸び限界時の荷重が約３００Ｎであった。
【００８４】
このようにおむつ１では、吸収性本体１０の端部１０ｅＬｆ（１０ｅＬｂ）において少なくとも３層以上のシート部材がそれぞれ接合された積層構造を有することにより、端部１０ｅＬｆ（１０ｅＬｂ）の強度が従来品と比較して極めて高く、引っ張りに対して伸び難い構造を有していることが明らかとなった。したがって、おむつ１を着用する際に領域１０ｕｆが上側に引っ張られた場合であっても、当該領域が伸びてしまうことが抑制され、吸収性本体１０が下着からはみ出し難く、また、吸収体１１をしっかりと引き上げることで良好なフィット性を実現することができる。
【００８５】
また、おむつ１では縦方向における領域１０ｕｆの長さＬ１０ｕｆが２０ｍｍ以上となるようにしている。すなわち、縦方向において前記吸収性本体１０のうちバックシート１４（非肌側フィルム）の上端１４ｅＬｆよりも上側で、シート部材が３層以上積層されている領域の長さが２０ｍｍ以上となるようにしている（Ｌ１０ｕｆ≧２０ｍｍ）。図７の斜線部で示されるように、領域１０ｕｆは吸収性本体１０の上端かつ一対の前側接合部ｊｆ，ｊｆの間に挟まれた領域であり、おむつ１の着用時に着用者が吸収性本体１０を引っ張る際に指で掴まれやすい領域である。そこで、当該領域を３層構造とすることで十分な強度を確保しつつ、掴みやすい大きさの領域とすることで、着用者が吸収性本体１０を引き上げる動作を行いやすくすることができる。なお、吸収性本体１０の縦方向の上端には上述した先端突出部１０ｓが設けられているが、本実施形態では、領域１０ｕｆのうち先端突出部１０ｓを除いた部分の長さが２０ｍｍ以上となるようにしている（図７参照）。
【００８６】
また、縦方向において先端突出部１０ｓが前側接合部ｊｆ（後側接合部ｊｂ）の上端（すなわちベルト部３２の上端位置）よりも上側に突出している長さＬ１０ｓは、１ｍｍ以上、５ｍｍ以下である（５ｍｍ≧Ｌ１０ｓ≧１ｍｍ）。Ｌ１０が１ｍｍより短いと、先端突出部１０ｓ自体が視認し難くなり、おむつ１の横方向における中央位置を認識することが困難になる。また、Ｌ１０が５ｍｍより長いと、先端突出部１０ｓが捲れたり折れ曲がったりして、横方向における中央位置を示す目印としての機能を発揮できなくなる。また、Ｌ１０が長くなると先端突出部１０ｓが下着からはみ出してしまうおそれがある。これに対して、５ｍｍ≧Ｌ１０ｓ≧１ｍｍとすることにより、下着からはみ出すことなく横方向における中央位置を認識しやすくすることができる。
【００８７】
また、吸収性本体１０のうち領域１０ｕｆの縦方向における長さＬ１０ｕｆは、ベルト部３２の上側端部３２ｅＷ１が折り返されている部分（上述の端部仕舞い構造）の縦方向における長さＬ３２ｅＷ１よりも長い。これにより、吸収性本体１０の領域１０ｕｆが上側に引っ張られる力が、前側接合部ｊｆ，ｊｆを介してベルト部３２の上側端部３２ｅＷ１に伝達しやすくなる。つまり、ベルト部３２の上側端部３２ｅＷ１の縦方向における全域が、吸収性本体１０の領域１０ｕｆと共に上側に引き上げられやすくなる。したがって、吸収性本体１０の上側の端部１０ｅＬｆを引き上げる動作を行うことによって、ベルト部３２を含む胴回り開口部ＢＨの全体の位置（高さ）を調整することが可能となる。これにより、おむつ１のフィット性が向上すると共に、おむつ１の胴回り開口部ＢＨが下着からはみ出し難くなる。
【００８８】
また、おむつ１を横方向から見たとき、吸収性本体１０の腹側における上端の領域１０ｕｆ、及び吸収性本体１０における上端の領域１０ｕｂ、には、それぞれ厚さ方向に突出した皺が形成される。これは、胴回り開口部ＢＨのうちベルト部３２にはその長手方向に沿って糸ゴム３３による伸縮性が作用しているのに対して、吸収性本体１０の上端の領域１０ｕｆ，１０ｕｂには伸縮性が作用していないためである。つまり、領域１０ｕｆ，１０ｕｂの横方向両側に伸縮性を有するベルト部３２が配置され、接合部ｊｆ，ｊｆを介して両側から斜めに引っ張られることによって、端部領域１０ｕｆ，１０ｕｂの平面形状に歪が生じやすくなり、当該歪によって皺が形成されやすくなる。この皺の大きさは、接合部ｊｆ、ｊｂの傾斜角度や領域１０ｕｆ，１０ｕｂの縦方向における長さＬ１０ｕｆ，Ｌ１０ｕｂによって変化するが、本実施形態では、吸収性本体１０の腹側の端部１０ｅＬｆに形成される皺の厚さ方向における高さの最大値が、腹側の端部１０ｅＬｆに形成される皺の厚さ方向における高さの最大値よりも小さくなる。これにより、おむつ１を下着の下に重ねて着用した際に、当該皺の影響により、腹側において下着が厚さ方向の非肌側に過度に持ち上げられたり、下着の下でおむつ１がごわついたりすることが抑制され、良好なフィット性が得やすくなる。また、腹側において皺を小さくすることにより、下着の下におむつ１を着用していることが目立ち難くなる。
【００８９】
＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００９０】
上述の実施形態では、図３Ａの展開状態における吸収性本体１０の横方向の両側の位置に、横漏れを防ぐための所謂立体ギャザーを設けていなかったが、場合によっては、設けても良い。但し、望ましくは、上述の実施形態のように立体ギャザーを設けない方が良い。詳しくは、次の通りである。  
【００９１】
先ず、立体ギャザーを設けるためには、長手方向に沿った糸ゴム等の弾性部材が同方向に伸長された状態で固定された一対の立体ギャザーシートを、吸収性本体１０の横方向の両側にそれぞれ固定する。また、同立体ギャザーシートにおいて吸収性本体１０に固定された部分よりも横方向の内側の部分については、その長手方向の両端部も吸収性本体１０に固定される。そして、これにより、同内側の部分において吸収性本体１０に固定されない長手方向の中央部が、上記の弾性部材の収縮力に基づいて起立して、これにより、当該中央部が立体ギャザーとして機能する。しかし、ここで、固定された上記の両端部は、肌側に盛り上がっていることから、着用者の臀部などと擦れやすく、その結果、装着感が失われてしまう。また、見た目にも、おむつらしさが想起されてしまうようになる。そのため、好ましくは、立体ギャザーを設けないようにすると良い。
【００９２】
上述の実施形態では、前側接合部ｊｆ及びその近傍部分の断面形状について説明していなかった。そのため、ここで図９Ａ及び図９Ｂを参照して説明する。図９Ａは、図７中のＤ−Ｄ断面図である。図９Ｂは、図７中のＥ−Ｅ断面図である。すなわち、図９Ａは前側接合部ｊｆのうち縦方向における両端部（胴回り開口部ＢＨ及び脚回り開口部ＬＨ付近）の断面を示し、図９Ｂは前側接合部ｊｆのうち縦方向における中間部付近の断面を示している。図９Ａ及び図９Ｂに示すように、前側接合部ｊｆは前後方向の前側（非肌側）に起立するように突出して形成されている。そして、前側接合部ｊｆの吸収性本体１０の非肌側には疎水性シート５０が存在しているため、同シート５０の剛性に基づいて、吸収性本体１０と前側接合部ｊｆとの境界部分の角度θ１が鈍角となり、ベルト部３２と前側接合部ｊｆとの境界部分の角度θ２が鋭角となるように、前側接合部ｊｆは、横方向の外側に倒れた状態となる。
【００９３】
また、前側接合部ｊｆの外縁部には、ベルト部３２と吸収性本体１０とが接合されていないドライエッジｊｄｅが設けられている。そして、このドライエッジｊｄｅの幅（すなわちベルト部３２と吸収性本体１０とが接合されている部分よりも非肌側に突出する部分の長さ）は、縦方向の両端部で最も短く、縦方向の中央部で最も長くなっている。ドライエッジｊｄｅはおむつ１の製造工程において、厚さ方向に重ねられた吸収性本体１０及びベルト部３２を前側接合部ｊｆに沿って切断する際に、該前側接合部ｊｆの端縁から所定距離だけ離間した位置を切断することによって形成される。その際、前側接合部ｊｆ自体を切断してしまうことを防止するために、前側接合部ｊｆの端縁からある程度離れた位置を切断することによってドライエッジｊｄｅをなるべく大きく（長く）形成するのが一般的である。しかし、本実施形態のおむつ１は、下着の下に重ねて着用することを想定しているため、ドライエッジｊｄｅが大きすぎると下着と干渉しやすくなる。特に、胴回り開口部ＢＨや脚回り開口部ＬＨ付近においてドライエッジｊｄｅが大きく形成されていると、着用時に下着に締め付けられることによって胴回りや脚回りに違和感を生じさせる要因となる場合がある。そこで、おむつ１では、前側接合部ｊｆの長手方向の両端部におけるドライエッジｊｄｅの幅が、前側接合部ｊｆの長手方向の中央部におけるドライエッジｊｄｅの幅よりも短くなるように、ドライエッジｊｄｅを形成している。これにより、おむつ１の着用時において、着用者に胴回りや脚回りの違和感を生じ難くすることができる。なお、後側接合部ｊｂについても同様である。
【符号の説明】
【００９４】
１  使い捨ておむつ（吸収性物品）、
１０  吸収性本体、１０ｅＬｂ  端部、１０ｅＬｆ  端部、１０ｅＷ  端部、
１０ｕｆ  領域、１０ｕｂ  領域、１０ｍｆ領域、
１０ｓ  先端突出部、
１１  吸収体、１１ｅＷ  端部、１１ｅＬｆ  上端、
１２  トップシート（肌側不織布）、
１４  バックシート（非肌側フィルム）、１４ｅＬｆ  上端、１４ｅＬｂ  上端、
１６  外装シート（外装不織布）、
１７  溝部、
１７１  第１溝部、１７２  第２溝部、１７３  第３溝部、
３０  シート部材（シート）、３０ａ  シート、３０ｅＷ  端部、
３２  ベルト部、３２ｅＬｂ  端部、３２ｅＬｆ  端部、３２ｅＷ１  端部、
３２ｅｏｕ  ベルト上端、３２ｅｏｄ  ベルト下端、
３３  糸ゴム、
３７  レッグギャザー部、３７ｅＬｂ  端部、３７ｅＬｆ  端部、
３８  糸ゴム、
５０  疎水性シート、
ＢＨ  胴回り開口部、ＬＨ  脚回り開口部、
ＦＬ  折り返し線、ｊｂ  後側接合部（接合部）、 ｊｆ  前側接合部（接合部）、
ｊｄｅ  ドライエッジ、
ＣＬＬ１０  略中央位置
【図１】
2018108323.tif 000003
【図２】
2018108323.tif 000004
【図３】
2018108323.tif 000005
【図４】
2018108323.tif 000006
【図５】
2018108323.tif 000007
【図６】
2018108323.tif 000008
【図７】
2018108323.tif 000009
【図８】
2018108323.tif 000010
【図９】
2018108323.tif 000011